(57)【要約】【課題】  挿入口に挿入されているリムーバブルメモリを保護する保護カバーを閉方向又は開方向のいずれかに付勢する付勢手段を、筐体内に十分な作業スペースを確保することなく組み付け可能なメモリ読み書き装置、プリンタ及び画像入出力装置を提供する。【解決手段】  本発明のメモリ読み書き装置は、リムーバブルメモリを挿入するための挿入口を有する筐体と、前記挿入口から挿入されるリムーバブルメモリに記憶されているデータを読み込む又は前記リムーバブルメモリにデータを書き込むメモリ読み書き部と、前記挿入口を覆う閉姿勢と前記挿入口を開放する開姿勢とに回動可能に設けられる保護カバーと、前記筐体内に組み付けられるユニットであって、前記保護カバーを閉方向又は開方向のいずれかに付勢する付勢手段を有するユニットと、を備える。【選択図】    図１
2006011785.tif 000002
【特許請求の範囲】
【請求項１】
リムーバブルメモリを挿入するための挿入口を有する筐体と、
前記挿入口から挿入されたリムーバブルメモリに記憶されているデータを読み込む又は前記リムーバブルメモリにデータを書き込むメモリ読み書き部と、
前記挿入口を覆う閉姿勢と前記挿入口を開放する開姿勢とに回動可能に設けられる保護カバーと、
前記筐体内に組み付けられるユニットであって、前記保護カバーを閉方向又は開方向のいずれかに付勢する付勢手段を有するユニットと、
を備えることを特徴とするメモリ読み書き装置。
【請求項２】
前記保護カバーに連動して回動する第一の歯車を更に備え、
前記付勢手段は、前記第一の歯車に噛み合う第二の歯車と、前記第二の歯車を回動させることにより前記保護カバーを閉方向又は開方向のいずれかに付勢するねじりばねとを有することを特徴とする請求項１に記載のメモリ読み書き装置。
【請求項３】
前記第二の歯車は円弧状に形成されていることを特徴とする請求項２に記載のメモリ読み書き装置。
【請求項４】
前記付勢手段は前記保護カバーを閉方向に付勢し、
前記ユニットは前記保護カバーが開姿勢になると前記付勢手段に係合して前記付勢手段が前記保護カバーを閉方向に付勢することを規制する規制手段を更に有していることを特徴とする請求項１、２又は３に記載のメモリ読み書き装置。
【請求項５】
請求項１〜４のいずれか一項に記載のメモリ読み書き装置と、
前記メモリ読み書き装置に挿入されたリムーバブルメモリに記憶されているデータを印刷する印刷手段と、
を備えることを特徴とするプリンタ。
【請求項６】
請求項５に記載のプリンタと、
原稿を読み取ってディジタル画像を作成し、作成したディジタル画像を前記メモリ読み書き装置によりリムーバブルメモリに書き込む画像読み取り手段と、
を備えることを特徴とする画像入出力装置。
【発明の詳細な説明】
【技術分野】
【０００１】
本発明は、メモリ読み書き装置、プリンタ及び画像入出力装置に関する。
【背景技術】
【０００２】
リムーバブルメモリを挿入するための挿入口を有するメモリ読み書き装置が知られている。メモリ読み書き装置は例えばパーソナルコンピュータやプリンタ等にケーブルで接続されたりあるいは一体に設けられ、挿入されたリムーバブルメモリに記憶されているデータの読み込みやリムーバブルメモリへのデータの書き込みを行う。
【０００３】
リムーバブルメモリは、データの読み込み中あるいは書き込み中に静電気を帯びた人間に触れられると、記憶しているデータを消失してしまうことがある。挿入口を覆う閉姿勢と開放する開姿勢とに回動可能な保護カバーを設けると、リムーバブルメモリを挿入した後に保護カバーを閉姿勢にすることで静電気を帯びた人間が誤ってリムーバブルメモリに触れてしまうことを防止できる。
【発明の開示】
【発明が解決しようとする課題】
【０００４】
保護カバーを設けると、ユーザはリムーバブルメモリを挿入するために保護カバーを開いたりリムーバブルメモリを挿入した後に保護カバーを閉じたりする開閉操作が必要になる。保護カバーを閉方向又は開方向のいずれかに付勢する付勢手段を設けるとユーザはいずれか一方の操作については操作の手間を低減でき、操作性が向上する。
【０００５】
しかしながら、付勢手段をメモリ読み書き装置の筐体内に設ける場合、筐体内に付勢手段の組み付け作業を行うための作業スペースが必要であり、設計上の制約によって筐体内に十分な作業スペースを確保できない場合、組み付け作業を行うことができないという問題がある。
本発明は、かかる問題に鑑みて創作されたものであって、挿入口に挿入されているリムーバブルメモリを保護する保護カバーを閉方向又は開方向のいずれかに付勢する付勢手段を、筐体内に十分な作業スペースを確保することなく組み付け可能なメモリ読み書き装置、プリンタ及び画像入出力装置を提供することを目的とする。
【課題を解決するための手段】
【０００６】
上記目的を達成するため、本発明に係るメモリ読み書き装置は、リムーバブルメモリを挿入するための挿入口を有する筐体と、前記挿入口から挿入されたリムーバブルメモリに記憶されているデータを読み込む又は前記リムーバブルメモリにデータを書き込むメモリ読み書き部と、前記挿入口を覆う閉姿勢と前記挿入口を開放する開姿勢とに回動可能に設けられる保護カバーと、前記筐体内に組み付けられるユニットであって、前記保護カバーを閉方向又は開方向のいずれかに付勢する付勢手段を有するユニットと、を備える。このメモリ読み書き装置によると、筐体外でユニットを組み立て、組み立てたユニットを筐体内に組み付けることにより、筐体内に十分な作業スペースを確保することなく付勢手段を組み付けることができる。
【０００７】
さらに本発明に係るメモリ読み書き装置では、前記保護カバーに連動して回動する第一の歯車を更に備え、前記付勢手段は、前記第一の歯車に噛み合う第二の歯車と、前記第二の歯車を回動させることにより前記保護カバーを閉方向又は開方向のいずれかに付勢するねじりばねとを有する。
さらに本発明に係るメモリ読み書き装置では、前記第二の歯車は円弧状に形成されている。保護カバーが回動する角度が限定されている場合、第二の歯車を円弧状に形成することにより、第二の歯車を小型化できる。
【０００８】
さらに本発明に係るメモリ読み書き装置では、前記付勢手段は前記保護カバーを閉方向に付勢し、前記ユニットは前記保護カバーが開姿勢になると前記付勢手段に係合して前記付勢手段が前記保護カバーを閉方向に付勢することを規制する規制手段を更に有している。このメモリ読み書き装置によると、ユーザは手を離しても保護カバーを開姿勢のままにしておくことができるため、リムーバブルメモリを挿入口に挿入する際の使い勝手が向上する。
【０００９】
上記目的を達成するため、本発明に係るプリンタは、請求項１〜４のいずれか一項に記載のメモリ読み書き装置と、前記メモリ読み書き装置に挿入されたリムーバブルメモリに記憶されているデータを印刷する印刷手段と、を備える。このプリンタによると、筐体内に十分な作業スペースを確保することなく付勢手段を組み付けることができる。
【００１０】
上記目的を達成するため、本発明に係る画像入出力装置は、請求項５に記載のプリンタと、原稿を読み取ってディジタル画像を作成し、作成したディジタル画像を前記メモリ読み書き装置によりリムーバブルメモリに書き込む画像読み取り手段と、を備える。この画像入出力装置によると、筐体内に十分な作業スペースを確保することなく付勢手段を組み付けることができる。
【発明を実施するための最良の形態】
【００１１】
以下、本発明を実施するための最良の形態を実施例に基づいて説明する。本実施例ではメモリ読み書き装置を備える画像入出力装置を例に説明する。
図２は、本発明の一実施例に係る画像入出力装置としての複合機１の斜視図である。複合機１の筐体は画像読み取り手段としてのスキャナ部２３（図４参照）を収容するスキャナユニット１１と印刷手段としてのプリンタ部１８（図４参照）を収容するプリンタユニット１２とで構成されており、スキャナユニット１１はプリンタユニット１２にヒンジにより回動可能に連結されている。
【００１２】
プリンタユニット１２にはリムーバブルメモリ８０（図５参照）を挿入するための複数の挿入口１３が形成されている。後述するメモリ読み書き部は規格の異なる複数のリムーバブルメモリ８０を読み込み可能であり、複数の挿入口１３はそれぞれ特定の規格に応じた形状に形成されている。
保護カバー１４は図２に示す開姿勢と図３に示す閉姿勢とに回動可能に設けられている。挿入口１３は保護カバー１４が閉姿勢になると覆われ、開姿勢になると開放される。保護カバー１４には読み込み中のリムーバブルメモリ８０が静電気を帯びた人間に触れられることを防止する以外に、埃などが挿入口１３に入り込まないよう保護したり、読み込み中にリムーバブルメモリ８０に衝撃が加わらないよう保護したりする役割もある。
【００１３】
原稿カバー１５はヒンジにより原稿台２９（図４参照）の盤面を開放した姿勢から原稿台２９の盤面を覆う姿勢に回動可能にスキャナユニット１１に連結されている。原稿カバー１５は原稿台２９の盤面に載置された原稿を押さえるとともに、光源３３（図４参照）の放射光以外の光が原稿を照らすことがないよう原稿台２９を覆うものである。
【００１４】
図４は複合機１の構成を示す模式図であり、図５は複合機１のハードウェア構成を示すブロック図である。
スキャナ部２３は、光学系３２、リニアイメージセンサ３０、第一主走査駆動部３６（図５参照）、第一副走査駆動部３７（図５参照）、ＡＦＥ（Analog Front End）部４１（図５参照）、ディジタル画像処理部４２（図５参照）などを備え、スキャナユニット１１に収容されている。
【００１５】
光学系３２は、光源３３、ミラー３４、レンズ３５などで構成され、キャリッジ３１に搭載されている。光源３３は蛍光管ランプ等の管照明装置から構成され、原稿Ｍの走査線近傍を照射する。ミラー３４及びレンズ３５は光源３３に照射された原稿Ｍの走査線上の反射光像をリニアイメージセンサ３０に結像させる。尚、光源３３の位置を変えて原稿の透過光像をリニアイメージセンサ３０に結像させるようにしてもよい。
【００１６】
リニアイメージセンサ３０は、フォトダイオード等の受光素子が図４において紙面垂直方向に直線状に並ぶ姿勢でキャリッジ３１に搭載されている。リニアイメージセンサ３０は、可視光、赤外光、紫外光等、所定の波長領域の光を光電変換して得られる電荷を受光素子に一定時間蓄積し、受光素子ごとの受光量に応じた電気信号をＣＣＤ（Charge Coupled Device）、ＭＯＳトランジスタスイッチ等を用いて出力する。
【００１７】
第一主走査駆動部３６（図５参照）は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７（図５参照）は、リニアイメージセンサ３０の長手方向に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１８】
ＡＦＥ部４１（図５参照）は、アナログ信号処理部、Ａ／Ｄ変換器等から構成される。アナログ信号処理部は、リニアイメージセンサ３０から出力された電気信号に対して増幅、雑音低減処理等のアナログ信号処理を施して出力する。Ａ／Ｄ変換器は、アナログ信号処理部から出力された電気信号を所定ビット長のディジタル表現の出力信号に量子化して出力する。
【００１９】
ディジタル画像処理部４２（図５参照）は、ＡＦＥ部４１から出力された出力信号に対し、ガンマ補正、画素補間法による欠陥画素の補間、シェーディング補正、画像信号の鮮鋭化等の処理を行ってディジタル画像データを作成する。尚、ディジタル画像処理部４２で施す上記各種の処理は、制御部５６（図５参照）で実行するコンピュータプログラムによる処理に置き換えてもよい。
【００２０】
プリンタ部１８は、記録ヘッド４３、ヘッド駆動部４８（図５参照）、第二主走査駆動部４９（図５参照）、第二副走査駆動部５４（図５参照）などを備え、プリンタユニット１２に収容されている。尚、本実施例ではインクジェット方式により印刷を行う場合を例に説明するが、レーザー方式やドットインパクト方式などで印刷を行うものであってもよい。
【００２１】
記録ヘッド４３は、キャリッジ４４に設けられ、インクを吐出する複数のノズル４５、ピエゾ素子４６、インクを導くインク通路４７などを備える。ピエゾ素子４６はインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。
【００２２】
ヘッド駆動部４８（図５参照）は、制御部５６から出力される印刷信号に基づいて駆動電圧をピエゾ素子４６に印加する回路である。
第二主走査駆動部４９（図５参照）は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１の軸方向に往復移動する。
【００２３】
第二副走査駆動部５４（図５参照）は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図４において紙面に垂直な方向（副走査方向）に印刷用紙が移動する。
【００２４】
図５に示す制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８は各種のプログラムやデータを記憶しているメモリであり、ＲＡＭ５９は各種のプログラムやデータを一時的に記憶するメモリである。これらのプログラムや各種のデータは、所定のサーバからネットワークを介してダウンロードして入力してもよいし、リムーバブルメモリ８０等のコンピュータ読み取り可能な記憶媒体から読み出して入力してもよい。例えばメモリ読み書き部６０に挿入されたリムーバブルメモリ８０に記録されているデータを印刷する場合、制御部５６はメモリ読み書き部６０を制御してデータを読み取り、２値化などの処理を行った後、プリンタ部１８を制御して印刷を実行する。また、例えばスキャナ部２３で原稿を読み取った場合、読み取って作成したディジタル画像データを、メモリ読み書き部６０を制御してリムーバブルメモリ８０に書き込む。
【００２５】
メモリ読み書き部６０はプリンタユニット１２に収容されている。メモリ読み書き部６０は制御部５６によって制御され、挿入口１３から挿入されたリムーバブルメモリ８０に記憶されているデータの読み込みやリムーバブルメモリ８０へのデータの書き込みを行う。リムーバブルメモリ８０は電源が切れても記憶内容が失われないフラッシュメモリなどのような不揮発性メモリである。
【００２６】
次に、ユニットについて説明する。
図１は、ユニット７０の斜視図である。ユニット７０は付勢手段としての第二の歯車７１、付勢手段としてのねじりばね７２（図９参照）、第二の歯車７１やねじりばね７２を収容するベース７３、第二の歯車７１をベース７３に回動可能に連結するシャフト８１などを備える。
【００２７】
図６は、第二の歯車７１の斜視図である。第二の歯車７１は中心角が概ね９０度の円弧状に形成されている。第二の歯車７１にはシャフト８１が貫通する軸受け穴７１ａ、ベース７３の規制部７４ａ（図７参照）に係合するための半円形に突出する係合突起７１ｂ、ねじりばね７２の一方の端部を掛けて止めるための突起部７１ｃなどが形成されている。保護カバー１４が回動する角度が限定されている場合、第二の歯車７１を円弧状に形成することにより、第二の歯車７１を小型化できる。
【００２８】
図１に示すように、ベース７３には第二の歯車７１を回動可能に収容する収容部７３ａ、シャフト８１を貫設するための軸受け穴７３ｂ、ねじりばね７２の他方の端部を掛けて止めるための溝７３ｃ、ベース７３を筐体に螺設するための螺子穴７３ｄなどが形成されている。また、図示するようにベース７３の一方の側面には段部７４が形成されている。
【００２９】
図７は、ベース７３の側面図である。段部７４には規制手段としての規制部７４ａが形成されている。規制部７４ａは、基端部分を残して周囲と切り離されることによって弾性変形可能に形成されている。規制部７４ａには保護カバー１４が開姿勢にあるとき第二の歯車７１の係合突起７１ｂに係合する円形の第一の係合穴７５が形成されている。更に、段部７４には保護カバー１４が閉姿勢にあるとき第二の歯車７１の係合突起７１ｂに係合する第二の係合穴７６が形成されている。第二の係合穴７６は一部が開いた穴であり、開いた部分の幅は係合突起７１ｂの幅より狭く、これにより保護カバー１４を閉じたときユーザは適度なクリック感を得ることができる。
【００３０】
次に、収容部７３ａの形状及びねじりばね７２について説明する。
図８はユニット７０を規制部７４ａの表面が含まれる面で切断した断面図であり、図９は規制部７４ａの裏面が含まれる面で切断した断面図である。図９において斜線部分には収容部７３ａは形成されていない。図９に示すように第二の歯車７１はＸ方向に回動するとベース７３に当接してそれ以上のＸ方向への回動が規制され、また、Ｙ方向に回動すると斜面７３ｅに当接してそれ以上のＹ方向への回動が規制される。収容部７３ａの紙面垂直方向の幅は段部７４がある部分とない部分とで異なっており、段部７４がある部分は幅が狭く、段部７４がない部分は幅が広くなっている。段部７４がある部分の幅は概ね第二の歯車７１の厚みに一致するかそれより僅かに広く形成されており、このため第二の歯車７１は段部７４がある部分でも回動可能である。また、図９に示すようにユニット７０の図７とは逆側の側面側には第一の歯車７７のギア部分をユニット７０内に挿入するための円弧状の凹み部７３ｆが形成されている。詳しくは後述するが、円弧状の凹み部７３ｆは第一の歯車７７の軸受けとしても機能する。
【００３１】
図９に示すようにねじりばね７２はシャフト８１が貫通可能なコイル状のバネ部７２ａと、バネ部７２ａの両端から延びるストレート部７２ｂ及び７２ｃとを備えている。一方のストレート部７２ｂの先端は湾曲した形状に曲げられており、第二の歯車７１の突起部７１ｃに掛けられている。他方のストレート部７２ｃは先端部が第二の歯車７１の軸方向に平行になるように概ね９０度に曲げられており、曲げられた先端部分がベース７３の溝７３ｃに掛けられている。
【００３２】
次に、保護カバー１４を軸支する構造について説明する。
図１０は、保護カバー１４の一端を軸支する様子を示す模式図である。第一の歯車７７は円柱状に突出する軸部７７ａを有している。軸部７７ａには立方体状の嵌合突起７７ｂが軸方向に突出するように形成されている。保護カバー１４には回動軸方向の両側に側壁が形成されており、保護カバー１４の一方の側壁１４ａには矩形の嵌合穴１４ｂが形成されている。第一の歯車７７は嵌合突起７７ｂが嵌合穴１４ｂに嵌合することで保護カバー１４との相対回転が不可能となり、保護カバー１４に連動して回動する。軸部７７ａには軸部７７ａの径方向に突出する環状の摺接部７７ｃが形成されている。第一の歯車７７は摺接部７７ｃの紙面手前側がベース７３の凹み部７３ｆの端面に当接し、摺接部７７ｃの紙面奥側が筐体の図示しない湾曲した形状の軸受けに当接することにより回動可能に軸支される。
【００３３】
図１１（Ａ）は保護カバー１４の他端を軸支する支持部材７８を示す斜視図であり、図１１（Ｂ）は支持部材７８が保護カバー１４の他端を軸支する様子を示す模式図である。支持部材７８は板状に形成されており、基端部分を残して一部を切り離すことによって弾性部７８ａが形成されている。弾性部７８ａの先端部には円柱状の軸部７８ｂが形成されている。支持部材７８は筐体に固定あるいは係止される。保護カバー１４の他方の側壁１４ｃには軸受け穴１４ｄが形成されており、保護カバー１４の他端は支持部材７８の軸部７８ｂが軸受け穴１４ｄに嵌合することにより支持部材７８に軸支される。
【００３４】
次に、保護カバー１４の組み付けについて説明する。
図１２は、筐体に組み付けられているユニット７０を示す斜視図である。保護カバー１４の組付けでは、始めに複合機１の筐体の外でユニット７０を組み立てる。次に、第一の歯車７７と支持部材７８とを所定の位置に配置し、保護カバー１４を第一の歯車７７及び支持部材７８に軸支させる。次に、図１２に示すように筐体の内側から第二の歯車７１が第一の歯車７７に噛み合うようにユニット７０をはめ込み、ベース７３に形成されている螺子穴７３ｄに螺子を挿入してユニット７０を筐体に螺接する。以上により保護カバー１４が組み付けられる。
【００３５】
次に、保護カバー１４の作動について説明する。
（１）ユーザは、リムーバブルメモリ８０を挿入口１３に挿入するために保護カバー１４を開方向に回動する。保護カバー１４を開方向に回動すると第二の歯車７１が第一の歯車７７に連動して回動し、ねじりばね７２にＹ方向（図９参照）の力が加わる。この結果、ねじりばね７２には第二の歯車７１をＸ方向（図９参照）に回動させる回転力が蓄積される。
（２）保護カバー１４を図１３に示すように開方向に所定角度回動すると第二の歯車７１が斜面７３ｅに当接してそれ以上の回動が規制される。このとき第二の歯車７１に設けられている係合突起７１ｂがベース７３の第一の係合穴７５に係合し、これにより保護カバー１４は閉方向への回動を規制される。この状態でユーザが手を離しても保護カバー１４は開姿勢のまま定位するため、ユーザは閉姿勢に戻らないよう一方の手で保護カバー１４を抑え、その間に他方の手でリムーバブルメモリ８０を挿入するなどのように両手を使ってリムーバブルメモリ８０を挿入しなくてよく、リムーバブルメモリ８０の挿入が容易になる。従ってリムーバブルメモリ８０を挿入口１３に挿入する際の使い勝手がよい。
（３）ユーザはリムーバブルメモリ８０を挿入し終えると、閉方向への回動が規制されている状態の保護カバー１４に手で閉方向の力を加える。この力によって係合突起７１ｂの係合が外れ、ねじりばね７２は蓄積している回転力によって第二の歯車７１を回動させ、保護カバー１４を閉方向へ付勢する。従って保護カバー１４は自動で閉まる。
（４）保護カバー１４は閉方向へ所定角度回動すると図９に示すように第二の歯車７１がベース７３に当接してそれ以上の回動が規制される。このとき第二の歯車７１に設けられている係合突起７１ｂが第二の係合穴７６に係合する。
【００３６】
以上説明した本発明の一実施例に係る複合機１によると、筐体外でユニット７０を組み立て、組み立てたユニット７０を筐体内に組み付けることにより、筐体内に十分な作業スペースを確保することなくねじりばね７２を組み付けることができる。例えば筐体内にねじりばね７２を直接組み付けようとした場合、図１０に示すようにねじりばね７２を軸支するシャフト８１をＸ方向から挿入しなければならない。このためにはＸ方向に少なくともシャフト８１の長さ分のスペースや工具を使ってシャフト８１を押し込むための作業スペースなどが必要となる。従って例えば周囲に他の構成部材が配置されていたり、筐体の形状が取り付け部分の周囲にスペースのない形状であったりする場合、作業スペースを確保するために筐体の体格を大きくしなければならない。複合機１によるとねじりばね７２を筐体内に直接組み付けるのではなく筐体外でベース７３に組み付けるため、ねじりばね７２を組み付けるための作業スペースを筐体内に確保する必要がない。従って、筐体の体格を小さくできる。
【００３７】
なお、本実施例ではメモリ読み書き装置を備える複合機１を例に説明したが、メモリ読み書き装置をプリンタに一体に備えてもよいし、パーソナルコンピュータやプリンタ等にケーブルで接続してもよい。
また、本実施例では保護カバー１４を閉方向に付勢する場合を例に説明したが、開方向に付勢するようにしてもよい。開方向に付勢すると保護カバー１４を開く際の手間を低減できる。
【図面の簡単な説明】
【００３８】
【図１】本発明の一実施例に係るユニットの斜視図。
【図２】本発明の一実施例に係る画像入出力装置の斜視図。
【図３】本発明の一実施例に係る画像入出力装置の斜視図。
【図４】本発明の一実施例に係る画像入出力装置の模式図。
【図５】本発明の一実施例に係る画像入出力装置のブロック図。
【図６】本発明の一実施例に係る第二の歯車の斜視図。
【図７】本発明の一実施例に係るユニットの側面図。
【図８】本発明の一実施例に係るユニットの断面図。
【図９】本発明の一実施例に係るユニットの断面図。
【図１０】本発明の一実施例に係る保護カバーの一端を示す斜視図。
【図１１】（Ａ）は本発明の一実施例に係る支持部材を示す斜視図、（Ｂ）は保護カバーの他端を示す斜視図。
【図１２】本発明の一実施例に係るユニットの斜視図。
【図１３】本発明の一実施例に係る保護カバーの一端を示す斜視図。
【符号の説明】
【００３９】
１  複合機（画像入出力装置）、１１  スキャナユニット（筐体）、１２  プリンタユニット（筐体）、１３  挿入口、１４  保護カバー、１８  プリンタ部（印刷手段）、２３  スキャナ部（画像読み取り手段）、６０  メモリ読み書き部、７０  ユニット、７１  第二の歯車（付勢手段）、７２  ねじりばね（付勢手段）、７４ａ  規制部（規制手段）、７７  第一の歯車、８０  リムーバブルメモリ
【図１】
2006011785.tif 000003
【図２】
2006011785.tif 000004
【図３】
2006011785.tif 000005
【図４】
2006011785.tif 000006
【図５】
2006011785.tif 000007
【図６】
2006011785.tif 000008
【図７】
2006011785.tif 000009
【図８】
2006011785.tif 000010
【図９】
2006011785.tif 000011
【図１０】
2006011785.tif 000012
【図１１】
2006011785.tif 000013
【図１２】
2006011785.tif 000014
【図１３】
2006011785.tif 000015